(57)【要約】【課題】本発明の目的は、かぎ針や編み針のような編み具を使用することなく、大きな面積を有する編み物（ニット）を作ることを目的としている。【解決手段】上記目的を達成するために、本発明は、大きな面積を有する編み物を得るために用いられ得る、環状部（２）を有する糸（１）と、そのような環状部（２）を有する糸（１）を用いて編み物を得るための方法（１００）とを提供するものである。【選択図】図１
2019535925.tif 000002
【特許請求の範囲】
【請求項１】
かぎ針、編み針その他同様の編み手段のような編み具を使用する必要なく、大きな編成面を得る場合に用いられる糸（１）であって、
当該糸が、当該糸に設けられた複数の環状部（２）を備え、前記環状部が、編成される物についてのループの寸法に適した前記環状部同士の間の距離と寸法を有することを特徴とする、糸。
【請求項２】
所望の寸法の編成面を、請求項１に記載の糸（１）を用いることによって得るための方法（１００）において、
前記糸（１）が２列に整列されることを確保するステップと（図２のＢ）、
後側にある前記糸（１）の前記環状部（２）を、前側にある前記糸（１）の前記環状部（２）に通してループを作るステップと（図２のＣ）、
前記二つのステップを、所望の寸法の編み物が得られるまで繰り返すステップと（図２のＤ）、
所望の寸法に達した後、前記糸を封じるステップと（図２のＥ）
を含むことを特徴とする、方法。
【発明の詳細な説明】
【技術分野】
【０００１】
本発明は、かぎ針や編み針等の編み具を用いることなく、大きな面（「編成面」ともいう）を有する編み物（ニット）を得るために用いることができる、環状部を有する糸、及び、この環状部を有する糸を用いて編み物を得るための方法に関する。
【背景技術】
【０００２】
現在、糸（ヤーン）で編成を行う場合には、かぎ針や編み針のような編み具が使用されている。かかる編み具は使用方法を習得する必要があるので、編成をしたい人すべてが通常の糸を使用して編むことができるわけではない。その上、その人が編み方を知っていても、大きな編み物を短時間で編むことはできない。
【０００３】
編成を容易にする複数の角部を有する編み針が、先行技術文献のＴＲ２００５０２０９７（Ｕ）明細書に記載されている。この文献に記載の編み針は、丸みを帯びた表面を有しておらず、複数の角部を有する。その編み針は複数の角部を有するので、丸みを帯びた表面を有する編み針によって引き起こされる、編み針と糸とが過剰に接触するという問題を解決する。その文献に記載の発明は、複数の角部を有するように形成されるものとすることができる。すなわち、それは六角形又は七角形とすることができる。編成プロセスがより容易となることを確実にするために、編み具に関して種々改善がなされてきている。
【０００４】
しかしながら、これらの改善が糸について行われる場合、編み具への依存性が除去され、誰もが編み物をすることができるようになるであろう。
【発明の概要】
【０００５】
本発明の目的は、かぎ針や編み針等の編み具を用いることなく大きな面の編み物を得るために用いられ得る、環状部を有する糸を提供することであり、また、前記環状部を有する糸を用いて編み物を得るための方法を提供することである。
【０００６】
環状部を有する糸と、本発明の目的を達成するために前記環状部を有する糸が用いられる編成方法とは、添付図面に示されている。
【図面の簡単な説明】
【０００７】
【図１】本発明による環状部を有する糸を示す図である。
【図２】本発明による環状部を有する糸を用いることによって編成を実施する方法のステップを概略的に示す図である。
【発明を実施するための形態】
【０００８】
本発明による糸（１）は、かぎ針や編み針等の編み具を用いることなく大きな面の編み物を得るために使用され、それは、編み物のループの寸法に適した距離と寸法を有する複数の環状部（２）を備えている。
【０００９】
本発明による糸（１）は、編み方を知らない如何なる者をも、その糸にデザインされた環状部（２）によって編み物を編むことができるようにする。
【００１０】
さらに、環状部（２）によって大きな面の編み物を得ることは容易となる。
【００１１】
本発明の好ましい実施形態によれば、糸（１）は、そこに形成された環状部（２）と共に、飾り糸マシン（ｆａｎｃｙ  ｙａｒｎ  ｍａｃｈｉｎｅ）によって製造することができる。糸（１）に形成された環状部（２）は、一定の高さ（ｘ）、環状部間の一定の距離（ｙ）、及び底部の幅（ｚ）を有する。糸（１）の前記高さ（ｘ）、距離（ｙ、ｚ）及び太さは、編成される編み物のループの寸法に適合するように設計されると共に、それらが糸（１）全体にわたって固定されるように設計されている（図２のＡ）。
【００１２】
所望の面を得るために前記糸が使用される編成方法（１００）は、以下のステップを含む。すなわち、
糸（１）が２列に整列されることを確保するステップと（図２のＢ）、
後側にある糸（１）の環状部（２）を、前側にある糸（１）の環状部（２）に通してループを作るステップと（図２のＣ）、
上記二つのステップを、所望の寸法の編み物が得られるまで繰り返すステップと（図２のＤ）、
所望の寸法に達した後、糸を封じるステップと（図２のＥ）
を含む。
【００１３】
本発明による方法（１００）によって編成プロセスが完了し、所望の寸法のものが得られる（図２のＦ）。
【符号の説明】
【００１４】
図中の部分にはそれぞれ符号が付されており、各符号は以下に示されるものを指す。
１…糸、２…環状部、１００…方法。
【図１】
2019535925.tif 000003
【図２】
2019535925.tif 000004
【手続補正書】
【提出日】平成30年12月6日(2018.12.6)
【手続補正１】
【補正対象書類名】明細書
【補正対象項目名】０００４
【補正方法】変更
【補正の内容】
【０００４】
しかしながら、これらの改善が糸について行われる場合、編み具への依存性が除去され、誰もが編み物をすることができるようになるであろう。
なお、インターネット［ＵＲＬ：ｈｔｔｐ：／／ｗｗｗ．ｒｅｄｈｅａｒｔ．ｄｅ／ｆｉｌｅｓ／Ｒｅｄ＿Ｈｅａｒｔ＿Ｙａｒｎｓ＿Ｃａｔａｌｏｇ＿２０１２．ｐｄｆ］から入手できる２０１２年１２月３１日付けのＨｅａｒｔ  Ｒｅａｄ社による「Ｒｅｄ  Ｈｅａｒｔ  ａｎｄ  Ｙｏｕ．（商標）Ｔｗｏ  Ｈｅａｒｔｓ  Ｏｎｅ  Ｐａｓｓｉｏｎ」というタイトルのカタログ２０１２／２０１３年版（ＸＰ０５５４７９２７９）には、大きな編み物面を得るための糸が開示されている。
また、米国特許第３４５８９８８号明細書には、ループ又はブークレ型のヤーン又はラップ処理されたヤーンが開示されており、２本以上の編み物のより糸が空気力学的なラップ処理プロセス（一つのより糸の、他のより糸の回りでのねじりを含まない）において第３のより糸の回りにラップされることが開示されている。
【手続補正２】
【補正対象書類名】特許請求の範囲
【補正対象項目名】全文
【補正方法】変更
【補正の内容】
【特許請求の範囲】
【請求項１】
複数の環状部（２）を備える糸であって、前記環状部が前記環状部同士の間に距離を置いて設けられている糸（１）を用いることによって、かぎ針、編み針その他同様の編み手段のような編み具を使用する必要なく、編成面を得るための方法（１００）において、
前記糸（１）が２列に整列されることを確保するステップと、
後側にある前記糸（１）の前記環状部（２）を、前側にある前記糸（１）の前記環状部（２）に通してループを作るステップと、
前記二つのステップを、所望の寸法の編み物が得られるまで繰り返すステップと、
所望の寸法に達した後、前記糸（１）に設けられた前記環状部（２）の寸法が、形成されるべき編み物のループの寸法に適合するように、前記糸を封じるステップと
を含むことを特徴とする、方法。
【請求項２】
請求項１に記載の方法により直接的に得られた編成面。
【国際調査報告】
2019535925.tif 000005
2019535925.tif 000006